(57)【要約】【課題】  作動感度の調節が可能な動物罠において、捕獲対象とする獣の違いに対応し作動感度を変えることによって罠の長さや大きさが変わることがないようにし、より画一的で容易な作業による仕掛けを可能とするとともに、トリガー具をより簡単な構造とする。【解決手段】  足括り罠(W)は基アーム(1)と跳上アーム(2)を備え、基アーム(1)と跳上アーム(2)はバネ力によって拡開される方向へ付勢され、トリガー具(4)が動いて上記各アーム(1,2)への係合が解除されることで各アーム(1,2)が拡開しワイヤ(5)の括り部(50)を絞るよう構成されている。トリガー具(4)は係合凸部(451,452)を有する調節係合板(45)を備えている。調節係合板(45)は取付方向を変えることにより跳上アーム(2)の先端係合具(21)の係合凹部(215)に係合する係合凸部(451,452)を切替え、トリガー具(4)が解除方向へ動くときの抵抗力を変えて作動感度を調節する。【選択図】        図２
2006238718.tif 000002
【特許請求の範囲】
【請求項１】
基アーム(1)と跳上アーム(2)を備えており、基アーム(1)と跳上アーム(2)はバネ力によって拡開される方向へ付勢され、トリガー具(4)が動いて上記各アーム(1,2)への係合が解除されることで各アーム(1,2)が拡開しワイヤ(5)の括り部(50)を絞るよう構成されている動物罠において、トリガー具(4)が解除方向へ動くときの、その動きに対する係合部(215,451,452)の掛かりによる抵抗力を変えることにより罠の作動感度を調節することを特徴とする、
動物罠の作動感度の調節方法。
【請求項２】
基アーム(1)と跳上アーム(2)を備えており、基アーム(1)と跳上アーム(2)はバネ力によって拡開される方向へ付勢され、トリガー具(4)が動いて上記各アーム(1,2)への係合が解除されることで各アーム(1,2)が拡開しワイヤ(5)の括り部(50)を絞るよう構成されている動物罠に使用するトリガー具(4)であって、
基アーム(1)に動くことができるよう設けられ、跳上アーム(2)に設けてある一方の係合要素(215)に係合する他方の係合要素(451,452)を有しており、
他方の係合要素(451,452)の取替えまたは動くことによる切替えにより、トリガー具(4)が解除方向へ動くときの、その動きに対する係合要素(215,451,452)同士の掛かりによる抵抗力を変えて、罠の作動感度を調節することができるよう構成されていることを特徴とする、
動物罠用トリガー具。
【請求項３】
跳上アーム(2)に設けてある一方の係合要素(215)に係合する他方の係合要素(451,452)は、係合部材(45)の複数箇所に設けてあり、係合部材(45)の取付方向を変えることにより係合する係合要素(451,452)を切替えるよう構成されていることを特徴とする、
請求項２記載の動物罠用トリガー具。
【請求項４】
基アーム(1)と跳上アーム(2)を備えており、基アーム(1)と跳上アーム(2)はバネ力によって拡開される方向へ付勢され、トリガー具(4)が動いて上記各アーム(1,2)への係合が解除されることで各アーム(1,2)が拡開しワイヤ(5)の括り部(50)を絞るよう構成されている動物罠であって、
上記トリガー具(4)は、
基アーム(1)に動くことができるよう設けられ、跳上アーム(2)に設けてある一方の係合要素(215)に係合する他方の係合要素(451,452)を有しており、
他方の係合要素(451,452)の取替えまたは動くことによる切替えにより、トリガー具(4)が解除方向へ動くときの、その動きに対する係合要素(215,451,452)同士の掛かりによる抵抗力を変えて、罠の作動感度を調節することができるよう構成されていることを特徴とする、
動物罠。
【請求項５】
罠本体とトリガー具(4)を備え、罠本体の作動部の係合部(215)とトリガー具(4)の係合部(451,452)との係合により罠が据え付けられ、トリガー具(4)の係合部の変位量または傾斜角の変化を起因とする係合解除により罠が作動する動物罠であって、
トリガー具(4)の係合部は感度調整手段(45)を有し、該感度調整手段(45)は、捕獲対象獣の重さに対応して係合を解除する複数の感度調整要素(451,452)を含んでおり、複数の感度調整要素(451,452)は罠本体の作動部の係合部(215)と選択的に係合され、係合解除の時機は、捕獲対象獣の重さを起因とするトリガー具(4)の係合部の変位量または傾斜角の変化量によって変わるよう構成されていることを特徴とする、
動物罠。
【請求項６】
感度調整手段は板片(45)であり、感度調整要素は該板片(45)の平らな面及び板片(45)に形成された折曲長または折曲角を異にする１又は２以上の折曲片(451,452)であり、上記平らな面または折曲片(451,452)を選択して罠本体の作動部の係合部(215)と係合するように構成してあることを特徴とする、
請求項５記載の動物罠。
【請求項７】
感度調整手段は四角形の板片(45)であり、感度調整要素は相対向する二辺に形成された折曲長または折曲角を異にする折曲片(451,452)と他の二辺の平らな面であり、
板片(45)は中心部で回転方向へ位置調節可能に取り付けてあり、板片(45)を回転させ上記各折曲片(451,452)または平らな面を選択して罠本体の作動部の係合部(215)と係合するように構成してあることを特徴とする、
請求項５記載の動物罠。
【請求項８】
罠本体の作動部の係合部(215)とトリガー具(4)の係合部の感度調整手段(45)とが係合することによって罠が据え付けられ、上記感度調整手段(45)は、捕獲対象獣の重さに対応して係合を解除する複数の感度調整要素(451,452)を含んでおり、係合解除の時機は捕獲対象獣の重さによるトリガー具(4)の係合部の変位量または傾斜角の変化量によって変わるよう構成されていることを特徴とする、
罠本体の作動部の係合部とトリガー具の係合部の係合構造。
【発明の詳細な説明】
【技術分野】
【０００１】
本発明は、動物罠用トリガー具、それを備えた動物罠、動物罠の作動感度の調節方法に関するものである。本発明は動物罠用トリガー具の作動感度を、よりコンパクトかつ簡単な構造で調節できるようにしたものに関する。
【背景技術】
【０００２】
足括り罠等の動物罠においては、例えばイノシシの捕獲を主な目的とする場合、ウサギやタヌキなどの小型獣が通っても作動しないようにして罠の無駄な作動を防止する等、捕獲する動物をある程度選択できるようにするのが好ましい。
このように罠の感度を調節することができるものとして、例えば本願発明者が出願した特許文献１記載のものがある。
【０００３】
特許文献１で提案した動物罠用トリガー具は、トリガー具に設けられている踏板受具の位置、すなわちトリガー具の回動中心からの距離を調節できるようにした構造である。
このトリガー具によれば、踏板受具を回動中心から離すと、より小さな外力でトリガー具が落ちることになり、作動感度が上がる。逆に、踏板受具を回動中心に近付けると、より大きな外力が作用しないとトリガー具が落ちなくなり、作動感度が鈍くなる。
【０００４】
これにより、ウサギやタヌキなどの小型獣を捕獲したいときには踏板受具を回動中心から離し、イノシシなどの大型獣を捕獲したいときは踏板受具を回動中心に近付けるように調節して、罠を捕獲獣に対し選択的に作動させることができる。
【０００５】
【特許文献１】特開２００１−１１２３９８号公報
【発明の開示】
【発明が解決しようとする課題】
【０００６】
特許文献１記載のものは、作動感度を調節するための十分な機能を有している。
しかしながら、座部材を案内具として踏板受具の位置を変えて回動中心からの距離を調節するという構造上、例えば大型獣を捕獲するか小型獣を捕獲するかで、罠を仕掛けるときの罠全体の長さが変わってしまい、特に感度を上げる設定では罠全体の長さがより長く大きくなる。このため、その長さに対応するように、罠の設置箇所に落とし穴や溝などをその位置や大きさを的確に決めてつくるには、相応の経験と熟練を必要とする。
【０００７】
また、上記構造では、感度の調節機能を持たないものであれば本来一体構造ですむものを座部材と踏板受具に分けて部品を増やしており、更にそれらの部材に上記機能を持たせるためにそれぞれ複雑な加工を施す必要があるので、構造が複雑になり製造コストも高くなる。
【０００８】
（本発明の目的）
本発明の目的は、作動感度の調節が可能な動物罠において、捕獲対象とする獣の違いに対応し作動感度を変えることによって罠の長さや大きさが変わることがないようにし、より画一的で容易な作業による仕掛けを可能とする動物罠用トリガー具を提供することである。
【０００９】
また、本発明の他の目的は、作動感度の調節が可能な動物罠において、トリガー具をより簡単な構造とすることである。
【課題を解決するための手段】
【００１０】
上記課題を解決するために本発明が講じた手段は次のとおりである。
第１の発明にあっては、
基アームと跳上アームを備えており、基アームと跳上アームはバネ力によって拡開される方向へ付勢され、トリガー具が動いて上記各アームへの係合が解除されることで各アームが拡開しワイヤの括り部を絞るよう構成されている動物罠において、トリガー具が解除方向へ動くときの、その動きに対する係合部の掛かりによる抵抗力を変えることにより罠の作動感度を調節することを特徴とする、
動物罠の作動感度の調節方法である。
【００１１】
第２の発明にあっては、
基アームと跳上アームを備えており、基アームと跳上アームはバネ力によって拡開される方向へ付勢され、トリガー具が動いて上記各アームへの係合が解除されることで各アームが拡開しワイヤの括り部を絞るよう構成されている動物罠に使用するトリガー具であって、
基アームに動くことができるよう設けられ、跳上アームに設けてある一方の係合要素に係合する他方の係合要素を有しており、
他方の係合要素の取替えまたは動くことによる切替えにより、トリガー具が解除方向へ動くときの、その動きに対する係合要素同士の掛かりによる抵抗力を変えて、罠の作動感度を調節することができるよう構成されていることを特徴とする、
動物罠用トリガー具である。
【００１２】
第３の発明にあっては、
跳上アームに設けてある一方の係合要素に係合する他方の係合要素は、係合部材の複数箇所に設けてあり、係合部材の取付方向を変えることにより係合する係合要素を切替えるよう構成されていることを特徴とする、
第２の発明に係る動物罠用トリガー具である。
【００１３】
第４の発明にあっては、
基アームと跳上アームを備えており、基アームと跳上アームはバネ力によって拡開される方向へ付勢され、トリガー具が動いて上記各アームへの係合が解除されることで各アームが拡開しワイヤの括り部を絞るよう構成されている動物罠であって、
上記トリガー具は、
基アームに動くことができるよう設けられ、跳上アームに設けてある一方の係合要素に係合する他方の係合要素を有しており、
他方の係合要素の取替えまたは動くことによる切替えにより、トリガー具が解除方向へ動くときの、その動きに対する係合要素同士の掛かりによる抵抗力を変えて、罠の作動感度を調節することができるよう構成されていることを特徴とする、
動物罠である。
【００１４】
第５の発明にあっては、
罠本体とトリガー具を備え、罠本体の作動部の係合部とトリガー具の係合部との係合により罠が据え付けられ、トリガー具の係合部の変位量または傾斜角の変化を起因とする係合解除により罠が作動する動物罠であって、
トリガー具の係合部は感度調整手段を有し、該感度調整手段は、捕獲対象獣の重さに対応して係合を解除する複数の感度調整要素を含んでおり、複数の感度調整要素は罠本体の作動部の係合部と選択的に係合され、係合解除の時機は、捕獲対象獣の重さを起因とするトリガー具の係合部の変位量または傾斜角の変化量によって変わるよう構成されていることを特徴とする、
動物罠である。
【００１５】
第６の発明にあっては、
感度調整手段は板片であり、感度調整要素は該板片の平らな面及び板片に形成された折曲長または折曲角を異にする１又は２以上の折曲片であり、上記平らな面または折曲片を選択して罠本体の作動部の係合部と係合するように構成してあることを特徴とする、
第５の発明に係る動物罠である。
【００１６】
第７の発明にあっては、
感度調整手段は四角形の板片であり、感度調整要素は相対向する二辺に形成された折曲長または折曲角を異にする折曲片と他の二辺の平らな面であり、
板片は中心部で回転方向へ位置調節可能に取り付けてあり、板片を回転させ上記各折曲片または平らな面を選択して罠本体の作動部の係合部と係合するように構成してあることを特徴とする、
第５の発明に係る動物罠である。
【００１７】
第８の発明にあっては、
罠本体の作動部の係合部とトリガー具の係合部の感度調整手段とが係合することによって罠が据え付けられ、上記感度調整手段は、捕獲対象獣の重さに対応して係合を解除する複数の感度調整要素を含んでおり、係合解除の時機は捕獲対象獣の重さによるトリガー具の係合部の変位量または傾斜角の変化量によって変わるよう構成されていることを特徴とする、
罠本体の作動部の係合部とトリガー具の係合部の係合構造である。
【００１８】
係合部の掛かりによる抵抗力を変える手段としては、例えば、係合要素の一方が凹部であり、他方がそれに係合する凸部であって、凹部または凸部の何れか、または双方を複数種類（凹部の場合は、深さ、内面の表面粗さ、表面の傾斜角が異なるもの、凸部の場合は、突出量、側面の表面粗さ、表面の傾斜角が異なるもの）備えて、それらの組み合わせによって所定の抵抗力が設定できるもの、あるいは凹部と凸部を実質的に設けずに単に係合面の表面の粗さ等による摩擦力の違いで所定の抵抗力が設定できるもの等であるが、これらに限定されるものではない。
【００１９】
（作用）
本発明に係る動物罠用トリガー具及び動物罠の作用を説明する。なお、ここでは、本発明の各構成要件のそれぞれに、後述する実施の形態において各部に付与した符号を対応させて付与し説明するが、この符号の付与は、あくまで説明の理解を助けるためであって各構成要件の上記各部への限定を意味するものではない。
【００２０】
動物罠を仕掛ける際、跳上アーム(2)に設けてある一方の係合要素(215)に対しトリガー具(4)に設けてある他方の係合要素(451,452)を係合する。
このとき、例えばウサギやタヌキなどの小型獣を捕獲したいときには、トリガー具(4)が解除方向へ動くときの、その動きに対する係合要素(215,451,452)同士の掛かりによる抵抗力が弱くなるような組み合わせを選択して調節し、より小さな力でトリガー具(4)が落ちる（解除される）ようにする。
【００２１】
また、イノシシなどの大型獣を捕獲したいときには、トリガー具(4)が解除方向へ動くときの、その動きに対する係合要素(215,451,452)同士の掛かりによる抵抗力がより強くなるような組み合わせを選択して調節し、より大きな力が作用したときにトリガー具(4)が落ちるようにする。
このようにして、動物罠を捕獲獣の大きさに対し選択的に作動させることができる。
【発明の効果】
【００２２】
（ａ）本発明に係る動物罠用トリガー具及び動物罠によれば、従来のように踏板受具の回動中心からの距離を変えること（てこの作用点の位置を変えること）によって作動感度を調節する構造のものと異なり、トリガー具の係合部分（てこの重点部分）で感度調節を行うので、捕獲対象とする獣の違いに対応し作動感度を変えることによって罠の長さや大きさが変わることがなく、より画一的で容易な作業による仕掛けが可能になる。
【００２３】
（ｂ）トリガー具の作動感度の調節をする構造は、係合要素同士の掛かりによる抵抗力を調節する構造であり、機械的に複雑な構造を採用する必要がなく、トリガー具をより簡単な構造とすることが可能になる。
【発明を実施するための最良の形態】
【００２４】
本発明を図に示した実施例に基づき詳細に説明する。
【実施例】
【００２５】
図１は本発明に係る足括り罠のセットした状態を示す斜視説明図、
図２はトリガー具の係合部の構造を示す分解斜視説明図。
【００２６】
足括り罠Ｗは、基アーム１と、基アーム１に回動自在に取り付けられた跳上げアーム２と、両アーム１、２を拡開方向へ付勢する付勢体である二本のねじりコイルバネ３ａ、３ｂと、罠を作動させるトリガー具４と、罠作動時における両アーム１、２の拡開によって、狩猟獣を括って捕獲するワイヤロープ５を備えている。
【００２７】
基アーム１と跳上げアーム２はアルミニウム製で、精密鋳造法で形成されている。基アーム１は、所定の長さを有し、基部側は一部が上方へ傾斜して設けられている。傾斜部は厚さ方向の片側が切欠されており、薄肉の取付部１０が形成されている。取付部１０を形成する停止段部１００は、拡開停止手段を構成し、傾斜して直線的に形成されている。
【００２８】
基アーム１の先端部には、縦方向に掛合溝１１が設けてある。基アーム１の先端部には、係止ピン１２（図３、図４参照）が掛合溝１１を通って横方向に取り付けてある。
【００２９】
基アーム１のうち係止ピン１２よりやや後方には、ピン孔（図示省略）が横方向に貫通して設けてある。ピン孔には、固定手段である杭管６が軸ピン６３を介して前後方向に回動可能に取り付けてある。杭管６は、円筒形の管体６０と、管体６０の上部の両側二箇所に設けてある軸受部６１とを備えた構造である。管体６０の下部には、杭６４が差し込まれて固定される。
【００３０】
基アーム１のうち杭管６のやや後方には、「コ」状の滑車受具１４が開放側を上方へ向けて取り付けてある。滑車受具１４にはピン孔（図示省略）が設けてあり、滑車受具１４の内側には、ピン孔に挿着した軸ピン１４１を介して滑車１５が取り付けてある。なお、軸ピン１４１の取り付けは、一端側をゴム環（図示省略）で止めて簡易に固定されており、罠作動後には狩猟獣が暴れる衝撃で外れ、滑車１５も外れるようになっている。
【００３１】
基アーム１のほぼ中間部には、後述するねじりコイルバネ３ａ、３ｂの一方の掛合線材３２の端部を固定するためのバネ固定部１６が両側へ張出して設けてある。バネ固定部１６の両側には、掛合線材３２の端部を差し込む挿着孔１６０が基アーム１の軸線方向と平行に設けてある。また、バネ固定部１６の上面側には、各挿着孔１６０まで貫通したネジ孔（図示省略）が、それぞれ前後二箇所に設けてある。このネジ孔にはネジ１６２が螺合され、掛合線材３２を固定している。
【００３２】
基アーム１のうち、バネ固定部１６の前部側上面部には、安全装置を構成する「コ」状のアーム止具１７が開放側を上方へ向けて取り付けてある。アーム止具１７の上部には、ピン孔１７０が設けてある。ピン孔１７０には、後述する跳上げアーム２の跳ね上がりを止める際に、セット後、ストッパーネジ１７１が挿通され、先端部がナット１７２で止められる。なお、符号１７３は、ストッパーネジ１７１を紐等でつないでおく際に使用される紐通し穴である。
【００３３】
基アーム１の上記取付部１０には、軸ピン１０１を介して跳上げアーム２の基部が回動自在に軸着されている。跳上げアーム２の基部は、基アーム１の基部と逆に下方へ傾斜させてあり、厚さ方向の片側が切欠されて、薄肉の取付部２０が設けられている。取付部２０の先端面２００は、傾斜して直線的に設けられており、基アーム１の停止段部１００と当接することによって、両アーム１、２を約１００°の開き角で停止させるようにしてある。
【００３４】
跳上げアーム２の長さは、基アーム１の長さとほぼ同じに設定されている。跳上げアーム２の先端部分には、先端係合具２１が取り付けられている。先端係合具２１は平面視でほぼ「コ」状に形成されており、開放側を先方へ向けて取り付けられている。先端係合具２１の先端部両側には、係合部２１０が突出して設けてある。
【００３５】
各係合部２１０の上面側には、後述するトリガー具４に取り付けてある調節係合板４５の係合凸部４５１、４５２と係合するＶ溝型の係合凹部２１５が設けられている。また、先端係合具２１には、外形がほぼ半円形のガード部２１１が先方へ突出して設けられている。ガード部２１１の円弧縁の中心となる部分には、ピン孔２１２が設けてある。
【００３６】
先端係合具２１の内側には、ピン孔２１２に挿着した軸ピン２１３を介して滑車２２が取り付けてある。ガード部２１１は、滑車２２の外周部より径大に形成されており、滑車２２をガードして破損を防止できるようにしている。なお、軸ピン２１３の取り付けは、軸ピン１４１と同様に、一端側をゴム環２１４で止めて簡易に固定されており、罠作動後には狩猟獣が暴れる衝撃で外れ、滑車２２も外れるようになっている。
【００３７】
跳上げアーム２の中間部には、上下方向へ貫通した通孔２３が設けてある。通孔２３には、罠セット時に番線２４が挿通して巻き付けられ、番線２４によってワイヤロープ５を簡易的に固定する。
【００３８】
基アーム１と跳上げアーム２の回動中心部の両側には、ねじりコイルバネ３ａ、３ｂが取り付けられている。ねじりコイルバネ３ａ、３ｂは、ほぼ対称型に形成されており、それぞれ三重に巻かれたコイルバネ部３０と、常態において約１２０°の開き角に設定された掛合線材３１、３２が延出されて設けられている。一方の掛合線材３１は、コイルバネ部３０の外側から延出され、他方の掛合線材３２はコイルバネ部３０の内側から延出されている。
【００３９】
基アーム１に固定される側の掛合線材３１は、中間部が外側から内側へ斜めに折曲されており、先端部分は挿着孔１６０に挿入され、上記のようにネジ孔に螺合されたネジ１６２によって締付固定されている。なお、掛合線材３１の先端部分に、ネジ１６２の先端部が係合される凹部を設けて、固定をより確実にすることもできる。
【００４０】
跳上げアーム２に掛合される側の掛合線材３２の先端部には、フック状に形成された掛合部３３が設けてある。掛合部３３は、跳上げアーム２に沿って移動（スライド）できるようにして掛合してある。なお、ねじりコイルバネ３ｂの掛合線材３２の長さは、ねじりコイルバネ３ａの掛合線材３２の長さよりやや短く形成されており、それぞれの掛合部３３の掛合位置をずらしてある。
【００４１】
罠セット時には、基アーム１と跳上げアーム２の先端部にトリガー具４が係合される。トリガー具４は、係止基具４０と、係止基具４０に設けてある案内部材４１と、案内部材４１に上下方向に位置を変えて取り付け可能な踏板受具４２を備えている。
【００４２】
係止基具４０は、縦係止片４０１を有している。縦係止片４０１の後部には、基アーム１先端部の係止ピン１２に下側から係止する係止凹部４０２が設けてある。縦係止片４０１の後部側上部には、取付台片４０３が縦係止片４０１に対し直角に設けてある。取付台片４０３は、係止凹部４０２から前方へややずらしてあり、その下方には係合部２１０を差し入れるための空隙４０５がある。
【００４３】
取付台片４０３のうち縦係止片４０１への固着部を挟む両側には、ネジ孔４０６が貫通して設けてある。取付台片４０３の上面には、調節係合板４５が取り付けてある。調節係合板４５はほぼ長方形状に形成されており、前後両端（二箇所の長辺部）には、下方へ向け曲げられた係合凸部４５１、４５２が設けられている。
【００４４】
上記係合凹部２１５は、深さ、内面の表面粗さ、表面の傾斜角を変えて感度の調節が可能である。また、係合凸部４５１、４５２は、突出量（折曲された部分の長さ）、側面の表面粗さ、表面の傾斜角（折曲された部分の角度）を変えて感度の調節が可能である。なお、本実施の形態では係合凸部のみを複数種類設定しているが、逆に係合凹部のみを複数種類設定してもよい。また、双方を複数種類設定することもできる。
【００４５】
また、調節係合板４５には、各ネジ孔４０６に対応する二箇所に前後方向に長い長孔４５０が設けてある。調節係合板４５は各ネジ孔４０６と各長孔４５０を合わせ、更に係合凸部４５１、４５２を取付台片４０３の前後縁の外側に位置させ、ネジ４６を各ネジ孔４０６に螺合し固定してある。この構造により、調節係合板４５は前後の位置の微調節ができる。
【００４６】
係合凸部４５１、４５２は、板縁を所要幅で下方へ曲げて全幅にわたり形成されており、下側の角部が上記先端係合具２１の係合凹部２１５と係合する係合部となる。
本実施の形態では、一方の係合凸部４５１の突出幅の方が他方の係合凸部４５２の突出幅より大きく設定されている。すなわち、係合凸部４５１は大型獣を捕獲したいときに係合凹部２１５と係合され、係合凸部４５２は小型獣を捕獲したいときに係合凹部２１５と係合される。
【００４７】
縦係止片４０１の前部には、片面側に膨らんだ肉厚部４０４が設けてあり、肉厚部４０４を貫通してネジ孔（図示せず）が設けてある。縦係止片４０１の下部は、山形に形成してある。案内部材４１は、係止基具４０の縦係止片４０１に固定されるほぼ円板状の縦片４１１を有している。縦片４１１の中央部には、挿通孔（図では見えない）が貫通して設けてある。
【００４８】
縦片４１１には、ほぼ長方形で板状の座部材４１２が直角に設けてある。座部材４１２の長手方向の両側縁部には、補強のための立ち上げ部４１３がそれぞれ全長にわたり設けてある。座部材４１２には、長手方向へ等間隔で四箇所にネジ孔４１４が貫通して設けてある。そして、座部材４１２には、踏板受具４２が取り付けられている。
【００４９】
踏板受具４２は、踏板７を載置する断面Ｌ状の受部材４２１を有している。受部材４２１は背部４２１ａと底部４２１ｂからなり、その中央部には、上記案内部材４１の座部材４１２の立ち上げ部４１３間に嵌め入れることができる嵌合部４２２、４２３が背面側と底面側へやや突出して同じ幅で設けてある。背部４２１ａの嵌合部４２２の中央部には、三箇所に挿通孔４２４が貫通して設けてある。また、底部４２１ｂの嵌合部４２３の中央部には、一箇所に挿通孔４２５が設けてある。なお、受部材４２１の背部４２１ａの両端部には、上部側が背側へやや湾曲した引掛爪４２６が立設されている。
【００５０】
そして、係止基具４０と案内部材４１は、所要の角度（例えば、取付台片４０３と案内部材４１が直角になる角度）で固定ネジ４３により締め付けて固定される。また、踏板受具４２は、受部材４２１の背部４２１ａの嵌合部４２２を案内部材４１の座部材４１２に嵌め入れ、挿通孔４２４を座部材４１２に設けられたネジ孔４１４のうち任意のネジ孔に合わせて固定ネジ４４により締め付けて固定される。この設定によると、罠セット時に穴の形状あるいは各種状況に合わせて踏板７の高さを調節することができる。
【００５１】
（作用）
図３は足括り罠のトリガー具の作動感度を低にセットした状態の側面視説明図、
図４は足括り罠のトリガー具の作動感度を変える方法を示し、（ａ）は作動感度を中にセットした状態、（ｂ）は作動感度を高にセットした状態を示す説明図である。
【００５２】
足括り罠Ｗを仕掛ける際、基アーム１の軸ピン２１３にトリガー具４の係止凹部４０２を係合し、トリガー具４の調節係合板４５の係合凸部４５１を跳上アーム２の先端係合具２１の係合凹部２１５に係合しセットする。そして、捕獲獣が踏板７を踏むとトリガー具４が軸ピン２１３を中心として係合の解除方向に回動する。
【００５３】
このとき、トリガー具４の係合凸部４５１と、跳上げアーム２側の係合凹部２１５の掛かりは、係合凸部４５１が係合凹部２１５の先部側の斜面を押し、先端係合具２１がねじりコイルバネ３ａ、３ｂの付勢力に抗し若干下がり、係合凸部４５１が係合凹部２１５の先部側の斜面を超えて移動することによって解除される。これにより、ねじりコイルバネ３ａ、３ｂの付勢力で基アーム１と跳上げアーム２が瞬時に拡開して、ワイヤロープ５の括り部５０を引き絞り、捕獲獣の足を括って捕獲する。
【００５４】
なお、係合凸部４５１は突出幅が大きい側であり、係合凹部２１５に対してより深く係合するので、トリガー具４が解除方向へ動くときの、その動きに対する係合凸部４５１と係合凹部２１５の掛かりによる抵抗力が大きくなり、本実施の形態では作動感度が最も低い（図３参照）。これにより、例えば小型獣や中型獣が踏板７を踏んでもトリガー具４は落ちない。従って、小型獣や中型獣による罠の無駄な作動を防止でき、イノシシなどの大型獣の捕獲に適している。
【００５５】
また、やや小さいイノシシ等の中型獣を主に捕獲したいときは、突出幅の小さい係合凸部４５２を係合させて、トリガー具４が解除方向へ動くときの、その動きに対する係合凸部４５１と係合凹部２１５の掛かりによる抵抗力が弱くなるように調節し、作動感度を上げてより小さな力でトリガー具４が落ちるようにセットすればよい（図４（ａ）参照）。なお、この場合は、大型獣が踏板７を踏んでも罠を作動させてしまうことになる。
【００５６】
更に、ウサギやタヌキなどの小型獣を主に捕獲したいときには、調節係合板４５を裏返しにして取り付ける（図４（ｂ）参照）。これにより、跳上げアーム２側の係合凹部２１５には何も係合せず、調節係合板４５の平面部が両係合部２１０に当接するだけであるので、作動感度が最も高くなる。なお、この場合も、中型獣と大型獣が踏板７を踏んでも罠を作動させてしまうことになる。
【００５７】
図５はトリガー具の他の実施形態を示す分解斜視説明図、
図６は足括り罠のトリガー具の作動感度を変える方法を示し、（ａ）は作動感度を低にセットした状態、（ｂ）は作動感度を中にセットした状態、（ｃ）は作動感度を高にセットした状態を示す説明図である。
なお、図５、図６において、上記トリガー具４と同一または同等箇所には同一の符号を付して示し、構造について重複する説明は省略する。
【００５８】
トリガー具４ａのうち、正方形の板状に形成された取付台片４０３ａの中心部には、ネジ孔４０６ａが貫通して設けてある。取付台片４０３ａの上面には、調節係合板４５ａが取り付けてある。調節係合板４５ａはほぼ正方形状に形成されており、一対の互いに平行な辺部には、下方へ向け曲げられた係合凸部４５１ａ、４５２ａが設けられている。また、調節係合板４５ａの四隅部分には切欠部４５３が設けてある。
【００５９】
また、調節係合板４５ａの中心部には、ネジ孔４０６ａに対応する通孔４５０ａが設けてある。調節係合板４５ａはネジ孔４０６ａと通孔４５０ａを合わせ、更にネジ４６ａをネジ孔４０６ａに螺合し固定してある。この構造により、ネジ４６ａを緩めれば調節係合板４５ａを回転させることができ、調節係合板４５ａの四辺部のうち何れかを跳上げアーム２の係合部２１０に係合できるように設定できる。
【００６０】
本実施の形態では、大型獣を捕獲したいときは、トリガー具４ａの調節係合板４５ａの係合凸部４５１ａを跳上アーム２の先端係合具２１の係合凹部２１５に係合し、作動感度を低にセットする（図６（ａ）参照）。
【００６１】
また、中型獣も捕獲したいときには、ネジ４６ａを緩めて調節係合板４５ａを１８０°回転させて再度締め付け、反対側の係合凸部４５２ａを跳上アーム２の先端係合具２１の係合凹部２１５に係合し、作動感度を中にセットする（図６（ｂ）参照）。
【００６２】
更に、小型獣も捕獲したいときには、調節係合板４５ａを同様に回転させて各係合凸部４５１ａ、４５２ａと９０°位置にある平板部を跳上アーム２の先端係合具２１の係合部２１０に係合し、作動感度を高にセットする（図６（ｃ）参照）。
このように、トリガー具４ａも上記トリガー具４と同様に作動感度を三段階に調節することができる。
【００６３】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００６４】
【図１】本発明に係る足括り罠のセットした状態を示す斜視説明図。
【図２】トリガー具の係合部の構造を示す分解斜視説明図。
【図３】足括り罠のトリガー具の作動感度を低にセットした状態の側面視説明図。
【図４】足括り罠のトリガー具の作動感度を変える方法を示し、（ａ）は作動感度を中にセットした状態、（ｂ）は作動感度を高にセットした状態を示す説明図。
【図５】トリガー具の他の実施形態を示す分解斜視説明図。
【図６】足括り罠のトリガー具の作動感度を変える方法を示し、（ａ）は作動感度を低にセットした状態、（ｂ）は作動感度を中にセットした状態、（ｃ）は作動感度を高にセットした状態を示す説明図。
【符号の説明】
【００６５】
Ｗ  足括り罠
１  基アーム
１０  取付部
１００  停止段部
１０１  軸ピン
１１  掛合溝
１２  係止ピン
１４  滑車受具
１４１  軸ピン
１５  滑車
１６  バネ固定部
１６０  挿着孔
１６２  ネジ
１７  アーム止具
１７０  ピン孔
１７１  ストッパーネジ
１７２  ナット
１７３  紐通し穴
２  跳上げアーム
２０  取付部
２００  先端面
２１  先端係合具
２１０  係合部
２１１  ガード部
２１２  ピン孔
２１３  軸ピン
２１４  ゴム環
２１５  係合凹部
２２  滑車
２３  通孔
２４  番線
３ａ  コイルバネ
３ｂ  コイルバネ
３０  コイルバネ部
３１  掛合線材
３２  掛合線材
３３  掛合部
４  トリガー具
４０  係止基具
４０１  縦係止片
４０２  係止凹部
４０３  取付台片
４０４  肉厚部
４０５  空隙
４０６  ネジ孔
４１  案内部材
４１１  縦片
４１２  座部材
４１３  立ち上げ部
４１４  ネジ孔
４２  踏板受具
４２１  受部材
４２１ａ  背部
４２１ｂ  底部
４２２  嵌合部
４２３  嵌合部
４２４  挿通孔
４２５  挿通孔
４２６  引掛爪
４３  固定ネジ
４４  固定ネジ
４５  調節係合板
４５０  長孔
４５１  係合凸部
４５２  係合凸部
４６  ネジ
５ ワイヤロープ
６ 杭管
６０  管体
６１  軸受部
６３  軸ピン
６４  杭
７  踏板
４ａ  トリガー具
４０３ａ  取付台片
４０６ａ  ネジ孔
４５ａ  調節係合板
４５０ａ  通孔
４５１ａ、４５２ａ  係合凸部
４５３  切欠部
４６ａ  ネジ
【図１】
2006238718.tif 000003
【図２】
2006238718.tif 000004
【図３】
2006238718.tif 000005
【図４】
2006238718.tif 000006
【図５】
2006238718.tif 000007
【図６】
2006238718.tif 000008